(57)【特許請求の範囲】
【請求項１】
画像形成装置におけるステープル、パンチ、とじ代、枠消しのいずれかの印字条件を設定するための条件キーを配置した複数の設定画面と、
前記複数の設定画面のうちの１つを入力可能な状態に切り替えて表示するための切替手段と、
前記条件キーによる条件の入力に対応して印字出力物の形態を表現する仕上がり形態として表示されるアイコンと、
前記複数の設定画面と前記アイコンとを表示するための表示手段とを備えた、画像形成装置の入力表示装置において、
前記表示手段は、前記複数の設定画面に配置された前記条件キーにより入力された複数の条件に対応するアイコンを統合的な絵表示として表示する際に、前記切替手段により入力可能となった条件に対応するアイコンの部分を、先に確定されて入力不可になった条件に対応するアイコンの部分とは視覚的に異なる状態で表示されることを特徴とする入力表示装置。
【請求項２】
前記条件キーにより設定された条件を１つ前に戻すとともに、該１つ前の条件に対応した設定画面に切り替えるための戻しキーを備えたことを特徴とする請求項１に記載の入力表示装置。
【請求項３】
前記アイコンにより統合的に表示された絵表示を入力トリガとして、前記複数の設定画面の切り替えを行うことを特徴とする請求項１または２に記載の入力表示装置。
【請求項４】
前記アイコンにより統合的に絵表示された前記条件の中で、入力可能な状態の設定画面に配置された条件キーおよび該条件キーに対応する絵表示と、入力不能な状態の設定画面に配置された条件キーおよび該条件キーに対応する絵表示との関係を、視覚的に識別可能に表示することを特徴とする請求項１〜３のうちのいずれか１項に記載の入力表示装置。
【請求項５】
入力可能な状態の設定画面において設定条件が複数存在する場合に、各設定機能と、統合的に表示されたアイコン内の各設定条件に対応する絵表示との関係を、視覚的に識別可能に表示することを特徴とする請求項４記載の入力表示装置。
【請求項６】
入力可能な状態の設定画面において設定された条件が、好ましくない出力結果となる場合には、その旨を統合的な絵表示で報知するとともに、正常な出力結果機能条件を、絵表示および条件キーにより報知することを特徴とする請求項１〜５のうちのいずれか１項に記載の入力表示装置。
【発明の詳細な説明】
【０００１】
【発明の属する技術分野】
本発明は、複写機、ファクシミリ、プリンタ等の機器に対して、その動作条件を設定するための入力表示装置に関する。
【０００２】
【従来の技術】
近年の複写機、ファクシミリ、プリンタ等の機器は、多様な態様で印刷を行うことが可能となっており、印刷を行うに際して、印刷枚数、印刷濃度、印刷サイズ、印刷倍率等の種々の動作条件を設定しなければならない。このため、液晶表示装置等に種々の動作条件を設定するための条件キーを表示し、使用者がこの条件キーを操作することにより、動作条件の設定を行うようにした技術が開発されている。
【０００３】
例えば、特開平１−２６１６６７号公報には、条件を選択するための設定画面を切り替えて個々に表示できるようにしたタッチ対話式ユーザーインタフェースを備えた複写機が開示されている。この複写機では、設定画面において、条件キーをアイコンにより表現し、設定する条件キーを感覚的に把握できるようにすることにより、条件キーの選択を容易にしようとしている。
【０００４】
また、特開平５−１００６４６号公報には、複数の条件を同一のアイコンに統合して表示する画像表示装置が開示されている。この画像表示装置では、利用者が設定した機能の組み合わせ結果を画像として順次表示することにより、設定の確認を容易にするとともに、設定の誤りを防止しようとしている。
【０００５】
【発明が解決しようとする課題】
しかしながら、上述した従来の技術には、以下に説明するような問題点があった。
すなわち、特開平１―２６１６６７号公報に開示された技術では、設定画面の切り替えにより他の条件を設定可能にしているが、条件キーをアイコンにより表現しているだけであり、設定された条件を統合的にアイコンとして表現することができないため、使用者が設定した条件の確認に手間取るという問題があった。
【０００６】
また、特開平５−１００６４６号公報に開示された技術では、複数の条件を同一のアイコンに統合して表示することが示されているものの、条件の設定をするための設定画面とアイコンとの関係が何ら記載されていない。
したがって、上述した従来の各技術を組み合わせたとしても、１つの設定画面において、設定画面内にある複数の条件を統合的に表示するという技術を導き出せるに過ぎない。このため、表示画面を小型化するとともに、設定を容易に確認し、設定の誤りを防止をすることはできない。
【０００７】
本発明は、上述した事情に鑑み提案されたもので、小型の表示画面を使用して、入力した条件をアイコンに統合的に絵表示する場合に、条件キーとアイコン上の絵表示との対応をわかり易くして、設定条件の確認を容易に行うことができるとともに、設定の誤りを確実に防止することができる入力表示装置を提供することを目的とする。
【０００８】
【課題を解決するための手段】
上述した目的を達成するため、本発明に係る入力表示装置は、以下の特徴点を備えている。
【０００９】
すなわち、本発明に係る入力表示装置は、画像形成装置におけるステープル、パンチ、とじ代、枠消しのいずれかの印字条件を設定するための条件キーを配置した複数の設定画面と、前記複数の設定画面のうちの１つを入力可能な状態に切り替えて表示するための切替手段と、前記条件キーによる条件の入力に対応して印字出力物の形態を表現する仕上がり形態として表示されるアイコンと、前記複数の設定画面と前記アイコンとを表示するための表示手段とを備えた、画像形成装置の入力表示装置において、前記表示手段は、前記複数の設定画面に配置された前記条件キーにより入力された複数の条件に対応するアイコンを統合的な絵表示として表示する際に、前記切替手段により入力可能となった条件に対応するアイコンの部分を、先に確定されて入力不可になった条件に対応するアイコンの部分とは視覚的に異なる状態で表示されることを特徴とするものである。
【００１０】
また、本発明に係る入力表示装置は、前記条件キーにより設定された条件を１つ前に戻すとともに、該１つ前の条件に対応した設定画面に切り替えるための戻しキーを備えたことを特徴とするものである。
【００１１】
また、本発明に係る入力表示装置は、前記アイコンにより統合的に表示された絵表示を入力トリガとして、前記複数の設定画面の切り替えを行うことを特徴とするものである。
【００１２】
また、本発明に係る入力表示装置は、前記アイコンにより統合的に絵表示された前記条件の中で、入力可能な状態の設定画面に配置された条件キーおよび該条件キーに対応する絵表示と、入力不能な状態の設定画面に配置された条件キーおよび該条件キーに対応する絵表示との関係を、視覚的に識別可能に表示することを特徴とするものである。
【００１３】
また、本発明に係る入力表示装置は、入力可能な状態の設定画面において設定条件が複数存在する場合に、各設定機能と、統合的に表示されたアイコン内の各設定条件に対応する絵表示との関係を、視覚的に識別可能に表示することを特徴とするものである。
【００１４】
また、本発明に係る入力表示装置は、入力可能な状態の設定画面において設定された条件が、好ましくない出力結果となる場合には、その旨を統合的な絵表示で報知するとともに、正常な出力結果機能条件を、絵表示および条件キーにより報知することを特徴とするものである。
【００１５】
【発明の実施の形態】
図面に基づいて、本発明に係る入力表示装置の一実施形態を説明する。
本発明に係る入力表示装置は、画像形成装置に対して、種々の動作設定を行うための装置である。以下、代表的な画像形成装置の一例であるデジタル複写機に対して、印刷枚数、印刷濃度、印刷サイズ、印刷倍率等の種々の動作条件を設定するための入力表示装置について説明する。
【００１６】
＜デジタル複写機＞
本発明に係る入力表示装置は、例えば、図１に示すようなデジタル複写機１０に備えられている。
このデジタル複写機１０は、図１に示すように、大きく分けて、スキャナー部１１と、レーザー記録部１２から構成されている。
【００１７】
スキャナー部１１は、透明ガラスからなる原稿載置台１５と、原稿載置台１５上へ自動的に原稿を供給搬送するための両面対応自動原稿送り装置（以下、ＲＡＤＦと称する）１６と、原稿載置台１５上に載置された原稿の画像を走査して読み取るための原稿画像読み取りユニット（以下、スキャナーユニットと称する）２０により構成されている。
このスキャナー部１１により読み取られた原稿画像は、画像データとして画像データ入力部へ送信され、画像データに対して所定の画像処理が施される。
【００１８】
ＲＡＤＦ１６は、原稿トレイ（図示せず）上に複数枚の原稿を一度にセットしておき、セットされた原稿を１枚ずつ自動的にスキャナーユニット２０の原稿載置台１５上へ給送する装置である。このＲＡＤＦ１６は、オペレーターの選択に応じて、原稿の片面または両面をスキャナーユニット２０に読み取らせるために、片面原稿のための搬送経路と、両面原稿のための搬送経路と、搬送経路を切り替えるための搬送経路切り替え手段と、各部を通過する原稿の状態を把握し管理するセンサー群と、制御部等により構成されている。このＲＡＤＦ１６には、従来より開示されている数多くの技術を応用することができる。
【００１９】
スキャナー部１１を構成するスキャナーユニット２０は、原稿面上を露光するランプリフレクターアセンブリ２１と、第１の走査ユニット２０ａと、第２の走査ユニット２０ｂと、原稿からの反射光像を電気的画像信号に変換するための光電変換素子（以下、ＣＣＤと称する）２４と、原稿からの反射光像をＣＣＤ２４上に結像させるための光学レンズ２３とにより構成されている。
第１の走査ユニット２０ａには、原稿からの反射光像をＣＣＤ２４に導くための第１の反射ミラー２２ａが搭載されており、第２の走査ユニット２０ｂには、第１の反射ミラー２２ａからの反射光像をＣＣＤ２４に導くための第２の反射ミラー２２ｂと第３の反射ミラー２２ｃとが搭載されている。
【００２０】
上述した構成からなるスキャナー部１１は、ＲＡＤＦ１６とスキャナーユニット２０の関連した動作により、原稿載置台１５上に読み取るべき原稿を順次載置させながら、原稿載置台１５の下面に沿ってスキャナーユニット２０を移動させることにより、原稿画像を読み取ることができる。
すなわち、第１の走査ユニット２０ａは、図１において、原稿載置台１５に沿って左から右へ向かって一定速度Ｖで走行し、第２の走査ユニット２０ｂは、その速度Ｖに対してＶ／２の速度で同一方向に平行に走査制御される。これにより、原稿載置台１５上に載置された原稿の画像を、１ライン毎に順次ＣＣＤ２４に結像させて画像を読み取ることとなる。
【００２１】
スキャナーユニット２０により読み取られた画像データは、画像処理部へ送信され、各種処理が施された後、画像処理部のメモリーに一旦記憶される。そして、出力指示に応じてメモリー内の画像データが読み出されて、レーザー記録部１２に転送され、記録シート上に画像を形成させる。
【００２２】
このレーザー記録部１２は、画像を形成させるための記録材であるシートの搬送系と、レーザー書き込みユニット２５と、画像を形成するための電子写真プロセス部２６とを備えている。
【００２３】
レーザー書き込みユニット２５は、詳細には図示しないが、半導体レーザー光源と、ポリゴンミラーと、ｆθレンズ等を備えている。このレーザー書き込みユニット２５では、メモリーに記憶された画像データ（スキャナーユニット２０により読み取った画像データ）または外部の装置から転送されてきた画像データに基づいてレーザー光源がレーザー光を射出し、このレーザー光をポリゴンミラーにより等角速度で偏向した後、ｆθレンズにより、レーザー光が電子写真プロセス部２６を構成する感光体ドラム上で等角速度で偏向されるように補正する。
電子写真プロセス部２６は、周知のように、感光体ドラムの周囲に、帯電器、現像器、転写器、剥離器、クリーニング器、除電器を備えることにより構成されている。
【００２４】
シートの搬送系は、電子写真プロセス部２６の転写器が配置された転写位置へシートを搬送するための搬送部１３と、この搬送部１３へシートを送り込むため給紙部３０と、転写後のシートに形成された画像（トナー像）を定着するための定着器２７と、定着後のシートの裏面に再度画像を形成するための再供給経路３５とを備えている。
給紙部３０は、複数のカセット給紙装置３１、３２、３３と、必要なサイズのシートを適宜給紙するための手差し給紙装置３４とにより構成されている。
また、定着器２７の下流側には、画像が記録されたシートを受け取り、このシートに対して所定の処理を施すための後処理装置１４が配置されている。
【００２５】
レーザー書き込みユニット２５および電子写真プロセス部２６において、画像メモリーから読み出された画像データは、レーザー書き込みユニット２５によりレーザー光線を走査させて、感光体ドラムの表面上に静電潜像として形成される。そして、可視像化されたトナー像は、多段給紙ユニットのいずれかの給紙装置５１〜５４から搬送された用紙の面上に、静電転写されて定着する。
このようにして画像が形成されたシートは、定着器２７から排紙ローラ３６を経由して後処理装置１４内へ搬送される。
【００２６】
デジタル式複写機１０では、図２に示すように、メイン画像処理ボード４００に搭載されたメイン中央演算処理装置（以下、メインＣＰＵと称する）４０１により、各ユニット部毎に搭載されたサブ中央演算処理装置（オペレーションパネルボード１００のＣＰＵ１０１、マシンコントロールボード２００のＣＰＵの２０１、ＡＤＦおよびＲＡＤＦのＣＰＵ２０３ａ、フィニッシャー２０８のＣＰＵ２０８ａ、ファクシミリボード６０３のＣＰＵ６０３ａ等）との連携を取りながら、当該デジタル式複写機１０の動作を制御している。
【００２７】
デジタル式複写機１０は、操作パネル１０３を管理制御するためのオペレーションパネルボード１００と、デジタル式複写機１０を構成する各ユニットを管理制御するためのマシンコントロールボード２００と、原稿画像を電気的に読み取り電子データとするためのＣＣＤボード３００と、このＣＣＤボード３００により電子データ化された原稿画像に対して所定の画像処理を施すためのメイン画像処理ボード４００と、このメイン画像処理ボード４００により処理された画像情報に対してさらに所定の画像処理を施すためのサブ画像処理ボード５００と、このサブ画像処理ボード５００にインターフェイスを介して接続されたその他の拡張ボード群６００（プリンタボード６０１、機能拡張ボード６０２、ファクシミリボード６０３）等から構成されている。
【００２８】
以下、各ボード毎の管理制御について説明する。
【００２９】
＜オペレーションパネルボード＞
オペレーションパネルボード１００は、基本的にサブの中央演算処理装置（以下、ＣＰＵと称する）１０１により制御されており、操作パネル１０３上に配置されたＬＣＤ表示部１０４の表示画面と、各種モードに関する指示を入力するための操作キー群１０５からの操作入力等を管理している。
また、オペレーションパネルボード１００には、操作キー群１０５から入力されたデータと、ＬＣＤ表示部１０４に表示させる情報等の各種制御情報を記憶しておくためのメモリー１０２が搭載されている。
【００３０】
このオペレーションパネルボード１００において、サブのＣＰＵ１０１は、メインＣＰＵ４０１との間で制御データ通信を行い、デジタル式複写機１０の動作指示を行う。また、メインＣＰＵ４０１からサブのＣＰＵ１０１に対して、デジタル式複写機１０の動作状態を示す制御信号を送信することにより、操作パネル１０３のＬＣＤ表示部１０４を通して、デジタル式複写機１０の現在の動作状態を操作者に表示するようになっている。
【００３１】
＜マシンコントロールボード＞
マシンコントロールボード２００は、サブのＣＰＵ２０１により制御されており、メモリー２０２と、ＡＤＦやＲＡＤＦからなる自動原稿送り装置２０３と、原稿画像を読み取るための読み取りスキャナー部２０４と、画像情報を画像として再現するためのプロセス部２０５と、画像が記録される用紙を収納部からプロセス部２０５へ向かって順次搬送するための給紙搬送部２０６と、画像が記録された用紙を反転させて搬送することにより用紙の両面に画像を形成するための両面ユニット２０７と、画像が記録された用紙に対してステープルなどの後処理を行うためのフィニッシャー２０８等を制御している。
【００３２】
＜ＣＣＤボード＞
ＣＣＤボード３００は、原稿画像を電気的に読み取るためのＣＣＤ３０１と、ＣＣＤ３０１を駆動するための回路（以下、ＣＣＤゲートアレイと称する）３０２と、ＣＣＤ３０１から出力されるアナログデータのゲイン調整などを行うためのアナログ回路３０３と、ＣＣＤ３０１のアナログ出力をデジタル信号に変換して電子データとして出力するためのＡ／Ｄ変換器３０４等から構成されている。これらの装置の制御は、メインＣＰＵ４０１により行われている。
【００３３】
＜メイン画像処理ボード＞
メイン画像処理ボード４００は、メインＣＰＵ４０１により制御されており、ＣＣＤボード３００から送信されてきた原稿画像の電子データに基づいて、画像の階調性を所望の状態で表現できるように処理するための多値画像処理部４０２と、処理が施された画像データあるいは処理の手順管理等の各種制御情報を記憶するためのメモリー４０３と、レーザー書き込みユニット２５に対して、処理が施された画像情報を転送制御するためのレーザーコントロール４０４等により構成されている。
【００３４】
多値画像処理部４０２では、シェーディング補正、濃度補正、領域分離、フィルタ処理、ＭＴＦ補正、解像度変換、電子ズーム（変倍処理）、ガンマ補正等のように、多値の画像データの状態のままで処理が施される。このようにして処理が施された画像情報は、レーザーコントロール４０４によりレーザー書き込みユニット２５に送信されて画像が再現される。
【００３５】
＜サブ画像処理ボード＞
サブ画像処理ボード５００は、コネクタ５０５および４０５を介して、メイン画像処理ボード４００と接続されており、メイン画像処理ボード４００上のメインＣＰＵ４０１により制御される。
このサブ画像処理ボード５００は、２値画像処理部５０１と、画像処理の施された２値画像情報あるいは制御情報等を記億管理するためのメモリーおよびメモリーゲートアレイからなるメモリー部５０２と、複数枚の原稿画像情報を記憶管理するためのハードディスクおよびハードディスクアレイからなるハードディスク部５０３と、ＳＣＳＩおよびＳＣＳＩゲートアレイからなるＳＣＳＩインターフェイス部５０４等から構成されている。
【００３６】
２値画像処理部５０１は、多値画像情報を２値画像に変換するための多値２値変換処理部と、画像を回転するための画像回転処理部と、２値画像の変倍処理を行うための２値変倍（ズーム）処理部、ファクシミリインターフェイス等から構成されている。
また、ハードディスクは、大容量の記憶装置であるため、複数枚の原稿画像情報を記憶しておき、この原稿画像情報を繰り返し所望部数だけ読み出すことにより、複数枚の複写物を生成することができる。
【００３７】
＜拡張ボード＞
拡張ボード群６００には、プリンタボード６０１、機能拡張ボード６０２、ファクシミリボード６０３等がある。プリンタボード６０１は、パーソナルコンピュータ等から送信されてくるデータを、デジタル式複写機１０のレーザー記録部１２によりプリンタモードとして出力可能とするためのボードであり、ＣＰＵ６０１ａとＳＣＳＩインターフェイス６０１ｂが搭載されている。また、機能拡張ボード６０２は、デジタル式複写機１０の編集機能を拡張して、デジタル式複写機１０の特徴を有効活用するためのボードであり、ＣＰＵ６０２ａとＳＣＳＩインターフェイス６０２ｂが搭載されている。また、ファクシミリボード６０３は、デジタル式複写機１０のスキャナー部１１から読み込んだ原稿画像を相手先に対して送信したり、相手先から送られてきた画像情報をデジタル式複写機１０のレーザー記録部１２から出力することを可能にするためのボードであり、ＣＰＵ６０３ａとメモリー６０３ｂが搭載されている。
【００３８】
以下、上述したデジタル式複写機１０における画像データの処理および画像データの流れについて、コピーモード、ファクシミリモード、プリンタモードの各モード毎にさらに詳しく説明する。
【００３９】
＜コピーモード＞
ＲＡＤＦ１６の所定位置にセットされた原稿は、１枚ずつスキャナーユニット２０の原稿載置台１５上へ供給される。原稿の画像は、スキャナーユニット２０により順次読み取られ、８ビットの電子データとしてメイン画像処理ボード４００へ転送される。
メイン画像処理ボード４００に転送された８ビットの電子データは、８ビットの電子画像データとして多値画像処理部４０２により所定の処理が施される。そして、この８ビットの電子画像データに対してガンマ補正などの処理が行われ、レーザーコントロール４０４を介してレーザー書き込みユニット２５へ送信される。
このような手順により、スキャナー部１１により読み取られた原稿画像は、レーザー記録部１２から階調性のあるコピー画像として出力される。
【００４０】
＜コピーモードにおける電子ＲＤＨ機能＞
同様に、ＲＡＤＦ１６の所定位置にセットされた原稿は、１枚ずつスキャナーユニット２０の原稿載置台１５上へ供給される。原稿の画像は、スキャナーユニット２０により順次読み取られ、８ビットの電子データとしてメイン画像処理ボード４００へと転送される。
メイン画像処理ボード４００に転送された８ビットの電子データは、８ビットの電子画像データとして多値画像処理部４０２により所定の処理が施される。そして、この８ビットの電子画像データは、コネクタ４０５，５０５を介してサブ画像処理ボード５００に送信される。
サブ画像処理ボード５００では、２値画像処理部５０１の多値２値変換処理部において、誤差拡散などの処理とともに８ビットの電子画像データから２ビットの電子画像データに変換される。
【００４１】
なお、８ビットの電子画像データを誤差拡散などの処理を含めて２ビットの電子画像データに変換しているのは、ただ単に多値２値変換を行っただけでは画質が劣化するためである。すなわち、８ビットの電子画像データを誤差拡散などの処理を含めて２ビットの電子画像データに変換することにより、画質の劣化を最小限に抑えることができる。さらに、２ビットの電子画像データに変換することにより、画像の記億容量を少なくすることができる。
このようにして変換された２ビットの電子画像データは、原稿１枚毎に大容量記憶装置であるハードディスク部５０３へ転送されて、一時的に記憶管理される。
【００４２】
ＲＡＤＦ１６にセットされた原稿群の全てが読み取り処理されると、ゲートアレイの制御により、ハードディスク部５０３に一時的に記憶された２ビットの電子画像データを指定された部数だけ繰り返し読み出して、コネクタ４０５、５０５を介してメイン画像処理ボード４００へ送信する。メイン画像処理ボード４００では、画像データに対してガンマ補正などの処理を行った後、レーザーコントロール４０４を介してレーザー書き込みユニット２５へ送信する。
【００４３】
なお、本実施形態では、全ての原稿群画像が読み取られた後に、画像群を所望する部数だけ繰り返し読み出すようにして説明したが、１部目の画像出力は所定分の画像が準備出来た段階で順次出力するように構成することも可能である。
このような手順により、スキャナー部１１により読み取られた原稿画像は、レーザー記録部１２から階調性のあるコピー画像として出力される。
【００４４】
＜プリンタモード＞
パーソナルコンピュータなどのネットワーク接続された外部機器から送られてきた画像は、プリンタボード６０１によりページ単位の画像として展開された後、ＳＣＳＩインターフェイス部５０４から一旦サブ画像処理ボード５００へ転送され、ハードディスク部５０３に記憶される。
【００４５】
なお、プリンタボード６０１によりページ画像として展開された画像は、サブ画像処理ボード５００に送信されるが、ページ画像に対して２値画像処理は行わず、ハードディスク部５０３に一時記憶されるだけである。
また、一旦記憶されたページ画像がハードディスク部５０３から読み出される際も、ページ画像に対する２値画像処理は行わない。
【００４６】
そして、ハードディスク部５０３へ一時記憶された画像情報は、所定のページ順となるようハードディスク部５０３から読み出され、メイン画像処理ボード４００へ送信される。メイン画像処理ボード４００では、ガンマ補正処理を行い、レーザーコントロール４０４の制御に基づいて、レーザー書き込みユニット２５により画像が再現される。
【００４７】
＜操作パネル＞
図３は、デジタル複写機１０に設けられた操作パネル１０３の平面図である。
この操作パネル１０３の中央部分には、図３に示すように、本発明に係る入力表示装置の一実施形態であるタッチパネル液晶表示装置４０が配置されており、その周囲には、テンキー５１、スタートキー５２、クリアキー５３、全解除キー５４、割込キー５５、コピー／プリンタ切り替えキー５６が配置されている。
【００４８】
このタッチパネル液晶表示装置４０の画面上には、設定画面に切り替えるための画面切り替え指示エリアを設けてあり、このエリアを指で直接押圧操作することにより、タッチパネル液晶表示装置４０の画面に、設定画面として各種編集機能が一覧表示される。
この設定画面に表示された各種編集機能の中から、所望する機能が表示されている領域を指で触れることにより、編集機能が設定される。
【００４９】
前記操作パネル１０３上に配置された各種設定キーについて簡単に説明すると、テンキー５１は、複写枚数を設定するためのキーであり、クリアキー５３は、複写枚数をクリアしたり、連続コピーを中止する際に操作するためのキーであり、スタートキー５２は、コピーの開始を指示するためのキーであり、全解除キー５４は、現在設定されているモードの全てを解除して標準状態に復帰させるためのキーであり、割込キー５５は、連続コピー中に別の原稿に対するコピーを行うためのキーであり、コピー／プリンタ切り替えキー５６は、デジタル複写機１０のモードをコピーとプリンターとの間で切り替えるためのキーである。
上述した操作パネル１０３および操作パネル１０３上に配置される各種キーは、デジタル複写機１０に搭載される各種機能の相違に基づいて、適宜変更して設けることができる。
【００５０】
＜タッチパネル液晶表示装置における画面表示＞
上述したデジタル複写機１０における処理を、コピーモード時の操作を例にとって説明する。
コピーモードが選択されると、タッチパネル液晶表示装置４０の画面が、先頭画面となる（図４参照）。この先頭画面における画面表示は、大きく分けて、メッセージ表示域４１、コピー枚数表示域４２、モード表示域４３、外観図表示域４４、仕上がり形態表示域４５、設定キー表示域４６からなる。
【００５１】
外観図表示域４４には、装置本体、装着されたオプション（ＡＤＦ、ソータ、両面トレイ、多段デスク等）が表示される。トレイには、用紙の種類、サイズ、セット方向、残量が表示される。また、現在の設定条件において印字用紙の排出先となっているトレイは、他のトレイと比較して強調されたアクティブ表示となる。
【００５２】
設定キー表示域４６には、印字条件の設定変更を行うための条件キーが表示される。この設定キー表示域４６内には、条件設定時にユーザが操作するキー群が配置された行（図４において下段の行）と、その設定項目毎に現在の設定内容を表示する行（図４において上段の行）とがある。
仕上がり形態表示域４５は、条件キーで設定された条件のうち、図形により表現できるものが表示されており、印字出力物がどの様な形態となるかを予め認識することができる。
メッセージ表示域４１には、ユーザに向けたメッセージが表示される。
コピー枚数表示域４２には、コピーの設定枚数が表示される（コピー処理実行時には残量が表示される）。
モード表示域４３には、現在設定されているモードが表示される。
【００５３】
また、先頭画面において設定条件の変更を行う場合に、用紙サイズの選択、倍率選択、濃度設定に関する選択については、条件キーを操作することにより条件が切り替わり、この先頭画面においてユーザが所望する条件を選択することができる。
これら以外の条件、例えば、後処理条件の設定変更を行う場合には、後処理の条件キーを操作することにより、先頭画面が後処理条件の選択画面に切り替わる（図５参照）。後処理条件の選択画面では、現在の後処理条件が選択画面に表示され、設定キー表示域４６の上段において、「下向き矢印」を表示して、条件選択中であることを示す。また、外観図表示域４４では、後処理装置の外観図のみを表示するように、他の装置の外観を隠すようにする。選択完了後は、画面上に表示される確定キーの操作により、前記先頭画面に復帰する。
【００５４】
例えば、図５に示す後処理条件の選択画面において、設定条件が変更された場合には、図６に示すように、コピーの仕上がり状態の表示も、それに合わせて変化する。なお、本実施形態に係るデジタル複写機１０では、排紙先のトレイとして複数のトレイが配置されており、例えば上から順に、コピー排出トレイ、大容量コピーおよび後処理排出トレイとなっている。そして、図６に示す後処理条件の選択画面において、ステープル処理やパンチ処理等の後処理が選択された場合には、排出先は後処理排出トレイとなるため、後処理排出トレイがアクティブ表示される。図６に示す選択状態において画面上に表示される確定キーを操作すると、図７に示す状態の先頭画面となる。
【００５５】
＜設定画面：とじ代設定＞
次に、後処理条件の設定後に、特別機能（とじ代）の設定を行う場合を例にとって、条件キーによる条件の設定と、それに対応したコピーの仕上がり状態の表示の変化について説明する。
【００５６】
まず、後処理条件の設定変更を行う。すなわち、図４に示す先頭画面の条件選択キーの中から後処理の条件キーを選択すると、選択画面の表示が図５に示すように後処理条件選択に切り替わる。ここで、設定キー表示域４６の上段において、「下向き矢印」を表示して、条件選択中であることを示している。
【００５７】
後処理条件には、図５に示すように、ステープル機能とパンチ機能がある。ステープル機能の設定では、ステープル状態（「ノンステープル」「角ステープル」「横ステープル」「縦ステープル」）の選択が可能であり、パンチ機能の設定では、パンチ状態（「ノンパンチ」「横パンチ」「縦パンチ」）の選択が可能である。選択画面では、現状のマシンの状態に対応した後処理条件がアクティブ表示される。例えば、図５に示すように、ステープル状態として「ノンステープル」がアクティブ表示され、パンチ状態として「ノンパンチ」がアクティブ表示される。
【００５８】
ここで、ステープル機能の「角ステープル」、パンチ機能の「横パンチ」を選択すると、仕上がり形態表示域４５の表示が、設定された条件に合わせて角ステープルと横パンチされた絵に変化する（図５に示す状態から図６に示す状態に変化する）。
【００５９】
また、コピー仕上がり形態表示域４５において、設定された条件（ステープル・パンチ部分）が、網かけで表示されている。この選択状態で画面上に表示される確定キーを操作すると、図７に示す状態の先頭画面となり、設定キー表示域４６の上段に「角ステープル」「横パンチ」が表示される。なお、確定キーが押されたことにより、後処理条件が入力不可能な状態に切り替わったので、コピー仕上がり形態表示域４５のステープル・パンチ部分の網掛け表示は解除される。この状態では、後処理機能の設定しか行っていないので、コピー仕上がり形態表示域４５の表示は、ステープルとパンチが施された状態の表示になっている。
【００６０】
続いて、特別機能の設定を行う。まず、図７に示す条件選択キーの中から、特別機能の条件キーを選択すると、選択画面の表示が、特別機能条件の選択画面に切り替わる（図８参照）。この状態では、設定キー表示域４６の上段に「下向き矢印」を表示して、条件選択中であることを示す。
【００６１】
ここで、特別機能の中から、とじ代機能を選択したとする。図８に示すように、とじ代機能の設定では、とじ代幅（「とじ代０ｍｍ」「左とじ代５ｍｍ」「左とじ代１０ｍｍ」「右とじ代５ｍｍ」「右とじ代１０ｍｍ」 ）を選択をすることができる。選択画面には、現在の特別機能条件が表示され、とじ代機能状態として「とじ代０ｍｍ」がアクティブ表示されている。ここで、とじ代機能の「左とじ代５ｍｍを」択すると、仕上がり形態表示域４５の表示が、左とじ代された絵に切り替わる（図９参照）。また、この状態では、左とじ代部分は網掛けで表示されて、入力不能な状態の設定画面の条件の絵表示と差別化して表示される。すなわち、図９に示す例では、左とじ代部分がステープル・パンチ表示部分と差別化されている。
【００６２】
この選択状態で画面上に表示される確定キーを操作すると、図１０に示す状態の先頭画面となり、設定キー表示域４６の上段に設定内容（左とじ代５ｍｍ）が表示される。この状態では、とじ代機能と後処理機能の設定が行われているので、コピー仕上がり形態表示域４５の表示は、左とじ代５ｍｍでステープルとパンチが施された統合的な絵表示となる（図１０参照）。
【００６３】
このように、複数の設定画面の条件キーにより、入力される複数の条件を統合的に表示するとともに、入力可能な状態の設定画面の条件キーに対応して絵表示された条件は、他の入力不能な状態の設定画面の条件キーに対応して絵表示された条件と視覚的に差別化（斜線・色・網掛け等）して表示することにより、現在の設定内容を容易に確認することができる。また、入力される複数の条件を統合的に表示することにより、コピーの仕上がりを容易に確認することができ、ミスコピーを削減することができる。
【００６４】
また、統合的に絵表示された条件において、非設定分を非表示状態とすることにより、他の全ての設定条件を表示する場合と比較して、画面表示が煩雑とならず見やすいので、設定の誤りを防止することができる。
【００６５】
＜設定画面：戻しキーの操作＞
次に、後処理条件の設定後に、特別機能（枠消し）の設定を行う場合を例にとって、条件を１つ前に戻すとともに、その条件に対応した設定画面に切り替えるための戻しキーについて説明する。
【００６６】
まず、上述したと同様の手順により、後処理条件の設定変更を行う。すなわち、図４に示す先頭画面の条件選択キーの中から後処理の条件キーを選択すると、選択画面の表示が図５に示すように後処理条件選択に切り替わる。ここで、後処理条件として、ステープル機能の「角ステープル」を選択し、パンチ機能の「横パンチ」を選択する（図５，図６，図７参照）。
【００６７】
続いて、条件キーの中から特別機能キーを選択し（図７，図１１参照）、特別機能選択画面から枠消し機能を選択する（図１１，図１２参照）。枠消し機能の選択では、枠消しの種類（「枠消しなし」「枠消し」「センター枠消し」「枠消し＋センター枠消し」）を選択することができる。続いて、「枠消し」を選択し（図１３参照）、画面上に表示される確定キーを操作して設定を終了する。
【００６８】
設定が終了すると、図１４に示す状態の先頭画面となり、設定キー表示域４６の上段に設定内容（角ステープル・横パンチ／枠消し）が表示され、コピー仕上がり形態表示域４５の表示が、ステープルとパンチが施され、枠消しされた状態の表示となる。この状態で設定ミスが発覚し、枠消し設定を「枠消し」から「センター枠消し」に変更しなければいけない場合には、図１４に示す設定画面において、戻しキーを操作することにより、１つ前の条件である特別条件（枠消し）の設定画面に戻ることができる（図１３参照）。
【００６９】
この状態で、「センター枠消し」を選択し、画面上に表示される確定キーを操作すると、条件キーを選択して機能選択することなく条件を設定し直すことができる。このように、１つ前の条件を設定し直す場合に、複数ある条件キーの中から所望の条件キーを選択し、選択画面の中から機能を選択するという複数段階の操作を行う必要がなくなり、キー操作の回数を低減することにより、条件の設定操作が容易になる。
【００７０】
＜設定画面：切り替え操作＞
次に、後処理条件の設定後に特別機能（とじ代）の設定を行う場合を例にとって、統合的に表示されたアイコンの設定部分を入力トリガとして設定画面の切り替えを行う処理について説明する。
【００７１】
まず、上述したと同様の手順により、後処理条件の設定変更を行う。すなわち、図４に示す先頭画面の条件選択キーの中から後処理の条件キーを選択すると、選択画面の表示が図５に示すように後処理条件選択に切り替わる。ここで、後処理条件として、ステープル機能の「角ステープル」を選択し、パンチ機能の「横パンチ」を選択する（図５，図６，図７参照）。
【００７２】
続いて、条件選択キーの中から特別機能の条件キーを選択すると、選択画面の表示が特別機能条件選択となる（図８参照）。ここで、特別機能の中から、とじ代機能を選択し、とじ代条件として「右とじ代１０ｍｍ」を選択し（図１５参照）、画面上に表示される確定キーを操作して設定を終了すると、図１６に示す状態の先頭画面となる。この先頭画面では、設定キー表示域４６の上段に、設定内容として（角ステープル・横パンチ／右とじ代１０ｍｍ）が表示される。また、コピー仕上がり形態表示域４５の表示は、ステープルとパンチが施され、右とじ代が１０ｍｍとなった状態の統合的な絵表示となる（図１６参照）。
【００７３】
この状態で設定ミスが発覚し、「右とじ代１０ｍｍ」を「左とじ代１０ｍｍ」に変更しなくてはいけない場合には、コピー仕上がり表示域の右とじ代表示域（図１６において右とじ代部分）をタッチすることにより、図１６に示す先頭画面から図１５に示す特別機能（とじ代）設定画面に切り替わる。
【００７４】
この状態で、とじ代機能の「左とじ代１０ｍｍ」を選択して、画面上に表示される確定キーを操作することにより条件を設定し直すことができる。このように、複数の条件キーを意識することなく、機能設定された設定画面のうちの１つを入力可能な状態に切り替えることができる。このため、絵アイコンの設定部分の設定内容を容易に変更することができ、条件の設定操作が容易になる。
【００７５】
＜設定画面：仕上がり状態の表示＞
次に、後処理条件の設定の後に特別機能（枠消し）の設定を行う場合を例にとって、条件キーによる条件の設定と、この設定に対応したコピーの仕上がり状態の表示について説明する。
【００７６】
まず、上述した手順と同様の手順により、後処理条件の設定変更を行う。すなわち、図４に示す先頭画面の条件選択キーの中から後処理の条件キーを選択すると、選択画面の表示が図５に示すように後処理条件選択に切り替わる。ここで、後処理条件として、ステープル機能の「角ステープル」を選択し、パンチ機能の「横パンチ」を選択すると、設定された条件に合わせて角ステープルと横パンチが施された表示に切り替わる（図５，図１７参照）。
【００７７】
図１７に示すように、コピー仕上がり形態表示域４５において、設定された条件部分（ステープル・パンチ部分）は、点線で囲まれて表示されており、後処理条件キーもアイコン内の絵表示の部分と同じく点線で囲まれて表示される。この選択状態で画面上に表示される確定キーを操作すると、図１８に示す状態の先頭画面となり、設定キー表示域４６の上段に、設定内容として（角ステープル・横パンチ）が表示される。
また、確定キーが押されたことにより、後処理条件は入力不可能な状態に切り替わったので、コピー仕上がり形態表示域４５のステープル・パンチ部分および後処理条件キーを囲んでいる点線が、太線に変化する。
【００７８】
続いて、条件選択キーの中から特別機能の条件キーを選択すると、選択画面の表示が特別機能条件選択となる（図１８，図１９参照）。ここで、特別機能の中から、とじ代機能として「左とじ代５ｍｍ」を選択すると、仕上がり形態表示域４５の表示が、左とじ代とされた絵に変化する（図１９，図２０参照）。図２０に示すように、コピー仕上がり形態表示域４５において、設定された条件部分（左とじ代部分）は、点線で囲まれて表示されており、特別機能条件キーもアイコン内の絵表示の部分と同じ点線で囲まれて表示される。このように、点線で囲むことにより、入力可能な状態の設定画面の条件の絵表示（点線で囲まれている）と、入力不可な状態の設定画面の絵表示（太線で囲まれている）を差別化して表示することができる。すなわち、ステープル・パンチ表示部分と、とじ代表示部分とを差別化することができる。
【００７９】
このように、複数の設定画面の条件キーにより入力される条件と、対応する条件キーとを関係つけて表示するとともに、入力可能な状態と入力不可能な状態の表示を差別化することにより、現在の設定内容の確認を容易に行うことができる。また、統合的に表示されたアイコンと、機能設定内容との関係が理解しやすくなるので、設定変更を容易に行うことができる。
【００８０】
＜設定画面：設定機能と絵表示との関連＞
次に、後処理条件のステープル機能設定とパンチ機能設定を行う場合を例にとって、入力可能な状態の設定画面において設定条件が複数存在する場合に、各設定機能と、統合的に表示されたアイコン内の各設定条件に対応する絵表示との関係を、視覚的に識別可能に表示するための機能について説明する。
【００８１】
まず、上述した手順と同様の手順により、後処理条件の設定変更を行う。すなわち、図４に示す先頭画面の条件選択キーの中から後処理の条件キーを選択すると、選択画面の表示が図５に示すように後処理条件選択に切り替わる。ここで、後処理条件として、ステープル機能の「角ステープル」を選択すると、仕上がり形態表示域４５の表示が、設定された条件に合わせて角ステープルされた絵に変換する（図５，図２１参照）。
図２１に示すように、コピー仕上がり形態表示域４５において、設定された条件部分（ステープル部分）は、点線で囲まれて表示されており、後処理条件のステープル選択域もアイコン内の絵表示の部分と同じく点線で囲まれて表示される。
【００８２】
次に、パンチ機能の「横パンチ」を選択すると、仕上がり形態表示域４５の表示が、設定された条件に合わせて横パンチされた絵に変化する（図２１，図２２参照）。
図２２に示すように、コピー仕上がり形態表示域４５において、設定された条件部分（パンチ部分）は、実線で囲まれて表示されており、後処理条件のパンチ選択域もアイコン内の絵表示の部分と同じく実線で囲まれて表示される。
【００８３】
このように、入力可能な状態の設定画面において設定条件が複数存在する場合に、各設定機能と、統合的に表示されたアイコン内の各設定条件に対応する絵表示との関係を、視覚的に識別可能に表示することにより、設定機能毎に差別化することができる。このため、統合的に表示されたアイコンと、機能設定内容の関係が理解し易くなり、設定変更を容易に行うことができる。
【００８４】
＜設定画面：注意表示＞
次に、入力可能な状態の設定画面において設定された条件が、好ましくない出力結果となる場合の注意表示について説明する。
【００８５】
例えば、特別機能（とじ代）の設定により、コピー画像が用紙に収まらなくなった場合には、倍率機能の縮小設定を行って、用紙に画像を収めなくてはならない。このように、設定結果によりコピーの仕上がり結果に影響（画像データが用紙に収まらなくなる等）があった場合には、統合的な絵表示により好ましくない出力結果となることを報知するとともに、正常なコピー結果（画像データを用紙に収める等）となるような機能条件を、絵表示および条件キーにより報知する。
【００８６】
まず、上述したと同様の手順により、後処理条件の設定変更を行う。すなわち、図４に示す先頭画面の条件選択キーの中から後処理の条件キーを選択すると、選択画面の表示が図２３に示すように後処理条件選択に切り替わる。この場合、設定キー表示域４６の上段において、「下向き矢印」を表示して、条件選択中であることを示している。
【００８７】
ここで、とじ代機能の「左とじ代５ｍｍ」を選択すると、仕上がり形態表示域４５の表示が、設定された条件に合わせで「左とじ代５ｍｍ」が施された絵に変化する（図２３，図２４参照）。
そして、図２４に示すように、コピー仕上がり形態の表示において、左とじ代５ｍｍを設定したことにより、画像が用紙内に収まらなくなった場合には、コピー仕上がり形態表示域４５の横に、倍率の縮小機能を使用して画像を用紙に収めるような絵表示を行う。この場合、倍率機能の条件キーを点線で囲むことにより、他の条件キーと差別化する。
【００８８】
このように、好ましくない出力結果となることを統合的な絵表示で報知することにより、ユーザーは、とじ代により画像が用紙に収まらなくなる可能性があることを認識することができるとともに、倍率機能の縮小倍率機能を使用すればいいことを容易に認識することができる。
すなわち、次に設定すべき機能を、現在の仕上がり結果とともに統合的に表示することにより、視覚的にイメージを把握し易くなる。また、条件キーと対応して表示することにより、アイコンと機能設定内容の関係が理解し易くなるので、設定の誤りを防ぐことができるとともに、条件の設定操作が容易になる。
【００８９】
【発明の効果】
以上説明したように、本発明に係る入力表示装置では、アイコンにより、複数の設定画面に配置された条件キーにより入力される複数の条件を統合的に表示することができる。また、入力可能な状態の設定画面に配置された条件キーに対応して絵表示される条件と、他の入力不能な状態の設定画面に配置された条件キーに対応して絵表示される条件とを視覚的に識別可能に表示することができる。
したがって、現在の設定内容や出力結果を容易に確認することができるので、設定の誤りによるミスコピー等の出力ミスをなくすことができる。
【００９０】
また、本発明に係る入力表示装置では、戻しキーにより、条件キーにより設定された条件を１つ前に戻すとともに、該１つ前の条件に対応した設定画面に切り替えることができる。
したがって、入力ミス等により１つ前の条件を設定し直す際に、キー操作の回数を低減することができ、条件の設定操作が容易になる。
【００９１】
また、本発明に係る入力表示装置では、アイコンにより統合的に表示された絵表示を入力トリガとして、前記複数の設定画面の切り替えを行うことができる。したがって、複数の条件キーを意識することなく、複数の設定画面のうちの１つを入力可能な状態に切り替えることができるので、絵アイコンにおける設定部分の設定内容を容易に変更することができ、条件の設定操作がさらに容易になる。
【００９２】
また、本発明に係る入力表示装置では、入力可能な状態の設定画面に配置された条件キーおよび該条件キーに対応する絵表示と、入力不能な状態の設定画面に配置された条件キーおよび該条件キーに対応する絵表示との関係を、視覚的に識別可能に表示することができる。
したがって、統合的に表示されたアイコンと機能設定内容の関係がわかりやすいので、条件の設定操作がさらに容易になる。
【００９３】
また、本発明に係る入力表示装置では、入力可能な状態の設定画面において設定条件が複数存在する場合に、各設定機能と、統合的に表示されたアイコン内の各設定条件に対応する絵表示との関係を、視覚的に識別可能に表示することができる。
したがって、統合的に表示されたアイコンと機能設定内容の関係がわかりやすいので、条件の設定操作がさらに容易になる。
【００９４】
また、本発明に係る入力表示装置では、入力可能な状態の設定画面において設定された条件が、好ましくない出力結果となる場合には、その旨を統合的な絵表示で報知するとともに、正常な出力結果機能条件を、絵表示および条件キーにより報知することができる。
したがって、次に設定すべき機能を、現在の仕上がり結果に統合的に表示することにより、視覚的にイメージを把握することができる。また、正常な出力結果機能条件を、絵表示および条件キーと対応して表示することにより、アイコンと機能設定内容の関係がわかりやすくなるので、設定の誤りを防止することができるとともに、条件の設定操作がさらに容易になる。
【図面の簡単な説明】
【図１】本発明に係る入力表示装置を備えたデジタル複写機の主要部断面である。
【図２】図１に示すデジタル複写機を構成している各種ユニット部、画像処理部などの全体構成を示すブロック図である。
【図３】入力表示装置の一実施形態に係る操作パネルの平面図である。
【図４】表示画面に表示される先頭画面の説明図である。
【図５】表示画面に表示される後処理条件の選択画面の説明図である。
【図６】表示画面に表示される後処理条件の選択画面の説明図である。
【図７】表示画面に表示される先頭画面の説明図である。
【図８】表示画面に表示される特別機能条件の選択画面の説明図である。
【図９】表示画面に表示される特別機能条件の選択画面の説明図である。
【図１０】表示画面に表示される先頭画面の説明図である。
【図１１】表示画面に表示される特別機能条件の選択画面の説明図である。
【図１２】表示画面に表示される特別機能条件の選択画面の説明図である。
【図１３】表示画面に表示される特別機能条件の選択画面の説明図である。
【図１４】表示画面に表示される先頭画面の説明図である。
【図１５】表示画面に表示される特別機能条件の選択画面の説明図である。
【図１６】表示画面に表示される先頭画面の説明図である。
【図１７】表示画面に表示される特別機能条件の選択画面の説明図である。
【図１８】表示画面に表示される先頭画面の説明図である。
【図１９】表示画面に表示される特別機能条件の選択画面の説明図である。
【図２０】表示画面に表示される特別機能条件の選択画面の説明図である。
【図２１】表示画面に表示される特別機能条件の選択画面の説明図である。
【図２２】表示画面に表示される特別機能条件の選択画面の説明図である。
【図２３】表示画面に表示される特別機能条件の選択画面の説明図である。
【図２４】表示画面に表示される特別機能条件の選択画面の説明図である。
【符号の説明】
１０  デジタル式複写機
１１  スキャナー部
１２  レーザー記録部
１３  搬送部
１４  後処理装置
１５  原稿載置台
１６  ＲＡＤＦ
２０  スキャナーユニット
２０ａ  第１の走査ユニット
２０ｂ  第２の走査ユニット
２１  ランプリフレクターアセンブリ
２２ａ  第１の反射ミラー
２２ｂ  第２の反射ミラー
２２ｃ  第３の反射ミラー
２３  光学レンズ
２４  ＣＣＤ
２５  レーザー書き込みユニット
２６  電子写真プロセス部
２７  定着器
３０  給紙部
３１  カセット給紙装置
３２  カセット給紙装置
３３  カセット給紙装置
３４  手差し給紙装置
３５  再供給経路
３６  排紙ローラ
４０  タッチパネル液晶表示装置
４１  メッセージ表示域
４２  コピー枚数表示域
４３  モード表示域
４４  外観図表示域
４５  仕上がり形態表示域
４６  設定キー表示域
５１  テンキー
５２  スタートキー
５３  クリアキー
５４  全解除キー
５５  割込キー
５６  コピー／プリンタ切り替えキー
１００  オペレーションパネルボード
１０１  ＣＰＵ
１０２  メモリー
１０３  操作パネル
１０４  ＬＣＤ表示部
１０５  操作キー群
２００  マシンコントロールボード
２０１  ＣＰＵ
２０２  メモリー
２０３  自動原稿送り装置
２０３ａ  ＣＰＵ
２０４  読み取りスキャナー部
２０５  プロセス部
２０６  給紙搬送部
２０７  両面ユニット
２０８  フィニッシャー
３００  ＣＣＤボード
３０１  ＣＣＤ
３０２  ＣＣＤゲートアレイ
３０３  アナログ回路
３０４  Ａ／Ｄ変換器
４００  メイン画像処理ボード
４０１  メインＣＰＵ
４０２  多値画像処理部
４０３  メモリー
４０４  レーザーコントロール
４０５  コネクタ
５００  サブ画像処理ボード
５０１  ２値画像処理部
５０２  メモリー部
５０３  ハードディスク部
５０４  ＳＣＳＩインターフェイス部
５０５  コネクタ
６００  拡張ボード群
６０１  プリンタボード
６０１ａ  ＣＰＵ
６０１ｂ  ＳＣＳＩインターフェイス
６０２  機能拡張ボード
６０２ａ  ＣＰＵ
６０２ｂ  ＳＣＳＩインターフェイス
６０３  ＦＡＸボード
６０３ａ  ＣＰＵ
６０３ｂ  メモリー
【図１】
0003880282.tif 000002
【図２】
0003880282.tif 000003
【図３】
0003880282.tif 000004
【図４】
0003880282.tif 000005
【図５】
0003880282.tif 000006
【図６】
0003880282.tif 000007
【図７】
0003880282.tif 000008
【図８】
0003880282.tif 000009
【図９】
0003880282.tif 000010
【図１０】
0003880282.tif 000011
【図１１】
0003880282.tif 000012
【図１２】
0003880282.tif 000013
【図１３】
0003880282.tif 000014
【図１４】
0003880282.tif 000015
【図１５】
0003880282.tif 000016
【図１６】
0003880282.tif 000017
【図１７】
0003880282.tif 000018
【図１８】
0003880282.tif 000019
【図１９】
0003880282.tif 000020
【図２０】
0003880282.tif 000021
【図２１】
0003880282.tif 000022
【図２２】
0003880282.tif 000023
【図２３】
0003880282.tif 000024
【図２４】
0003880282.tif 000025